(57)【要約】      （修正有）【課題】二つ折り状態から開くと自動的に楽曲を演奏し、自動演奏を強制的に終了させることができ、演奏も楽しめ、幼児や子供の情操教育又は音楽教育にも使用することができるグリーティングカードを提供する。【解決手段】見開き可能に二つ折りされたグリーティングカード本体４に内蔵された発音機構と、オルゴール機構を制御するスイッチとからなり、発音機構は、予め記録された楽曲を自動演奏する楽曲機能と、予め記録された単音を発する単音機能とを備え、スイッチは、楽曲機能を作動させる第一スイッチ１２と、単音機能を制御する第二スイッチ２０とを備え、第二スイッチは、単音機能内に記録された単音数と同数のボタン２２を有していることを特徴とする。また、グリーティングカード本体には、楽譜２４が印刷され、楽譜内の音符記号は、音階別に異なる色が着色され、音階と対応する単音を発するボタンは、音階と同色が着色されていても良い。【選択図】図１
0003112188.tif 000002
【実用新案登録請求の範囲】
【請求項１】
見開き可能に二つ折りされたグリーティングカード本体と、該グリーティングカード本体に内蔵された発音機構と、該オルゴール機構を制御するスイッチとからなり、該発音機構は、予め記録された楽曲を自動演奏する楽曲機能と、予め記録された単音を発する単音機能とを備え、該スイッチは、該楽曲機能を作動させる第一スイッチと、該単音機能を制御する第二スイッチとを備え、該第二スイッチは、該単音機能内に記録された単音数と同数のボタンを有していることを特徴とするグリーティングカード
【請求項２】
前記グリーティングカード本体には、楽譜が印刷され、該楽譜内の音符記号は、音階別に異なる色が着色され、該音階と対応する単音を発する前記ボタンは、該音階と同色が着色されていることを特徴とする請求項１に記載のグリーティングカード。
【請求項３】
前記第一スイッチは、グリーティングカード本体内のどちらか一方の面の折り曲げ部近傍から、もう一方の面に向かってスライド板が設けられ、該グリーティングカード本体のもう一方の面には、感知部と、該感知部に接触して通電状態となる接触部が設けられ、該スライド板は、前記グリーティングカード本体の開閉に伴い該接触部に沿って移動し、該グリーティングカード本体の折り曲げ時には、該感知部と該接触部を非接触状態にならしめることを特徴とする請求項１又は２に記載のグリーティングカード。
【請求項４】
前記第二スイッチは、前記自動演奏機能を強制的に終了させることを特徴とする請求項１〜３のいずれかに記載のオルゴールグリーティングカード。
【請求項５】
前記グリーティングカード本体には、動物又は人物を模したキャラクターが印刷され、前記自動演奏機能及び前記発音機能に予め記録された楽曲及び単音は、該キャラクターに関連する音であることを特徴とする請求項１〜４のいずれかに記載のグリーティングカード。
【考案の詳細な説明】
【技術分野】
【０００１】
本考案は、誕生日、クリスマス、年末年始、その他の祝賀行事などで使用されるグリーティングカードに関するもので、音の出るグリーティングカードに関する。
【背景技術】
【０００２】
従来からグリーティングカードは、様々なものが販売されており、音の出るグリーティングカードも販売されている。このグリーティングカードは、カードを開くと予め記録されていた楽曲が自動的に演奏される仕組みになっている。また、自動演奏する楽曲は、グリーティングカードに関連したものが使用され、バースデーカードであれば、ハッピーバースデーであったり、クリスマスカードには、ジングルベルやきよしこの夜等が記録されていた。
【考案の開示】
【考案が解決しようとする課題】
【０００３】
しかし、従来の音の出るグリーティングカードは、一度自動演奏が始まると楽曲の最後まで演奏してしまい、演奏を途中で止めることができなかった。誤作動や思いがけず自動演奏が開始してしまうと、演奏が止むまで放置するしかなく、周囲に迷惑をかけてしまうという問題があった。
【０００４】
また、記録された楽曲が祝賀行事に関連したものであるため、その祝賀行事が過ぎると、グリーティングカードや、楽曲には興味がなくなってしまい、再び手にする機会が無くなってしまっていた。また、グリーティングカードの受け取り者は、楽曲の自動演奏を聴くだけであるため、数回聴くと飽きてしまい、その後グリーティングカードを手にしなくなってしまうという問題も有していた。
【０００５】
以上のことから、開始した自動演奏を強制的に終了させることができ、祝賀行事等に関係なく楽しめ、幼児や子供の情操教育や音楽教育などにも使用することができるグリーティングカードの開発が望まれていた。
【課題を解決するための手段】
【０００６】
上記課題を解決するために本考案に係るグリーティングカードは、見開き可能に二つ折りされたグリーティングカード本体と、グリーティングカード本体に内蔵された発音機構と、オルゴール機構を制御するスイッチとからなり、発音機構は、予め記録された楽曲を自動演奏する楽曲機能と、予め記録された単音を発する単音機能とを備え、スイッチは、楽曲機能を作動させる第一スイッチと、単音機能を制御する第二スイッチとを備え、第二スイッチは、単音機能内に記録された単音数と同数のボタンを有していることを特徴とする。
【０００７】
また、グリーティングカード本体には、楽譜が印刷され、楽譜内の音符記号は、音階別に異なる色が着色され、音階と対応する単音を発するボタンは、音階と同色が着色されていても良い。
【０００８】
また、第一スイッチは、グリーティングカード本体内のどちらか一方の面の折り曲げ部近傍から、もう一方の面に向かってスライド板が設けられ、グリーティングカード本体のもう一方の面には、感知部と、感知部に接触して通電状態となる接触部が設けられ、スライド板は、グリーティングカード本体の開閉に伴い接触部に沿って移動し、グリーティングカード本体の折り曲げ時には、感知部と接触部を非接触状態にならしめても良い。
【０００９】
また、第二スイッチは、自動演奏機能を強制的に終了させても良い。
【００１０】
また、グリーティングカード本体には、動物又は人物を模したキャラクターが印刷され、自動演奏機能及び発音機能に予め記録された楽曲及び単音は、キャラクターに関連する音であっても良い。
【考案の効果】
【００１１】
本考案に係るグリーティングカードは、発音機構を有し、発音機構は、予め記録された楽曲を自動演奏する楽曲機能と、予め記録された単音を発する単音機能とを備えているため、自動演奏を聴くだけでなく、操作者自らが音を発して楽しむことができ、趣向生を有し、飽きることが無く、グリーティングカードの使用寿命を延ばすことができる。
【００１２】
また、グリーティングカード本体には、楽譜が印刷されているため、楽譜を見ながら簡単な演奏を行うこともでき、グリーティングカードに汎用性を付加することができる。
【００１３】
更に、楽譜内の音符記号は、音階別に異なる色が着色され、音階と対応する単音を発するボタンには、音階と同色が着色されているため、色によって音階を判別することができ、楽譜が読めない者でも演奏が可能となる。また、幼児や児童でも演奏できるため、情操教育や音楽教育でも使用が可能となる。
【００１４】
また、第二スイッチは、自動演奏機能を強制的に終了させることが可能であるため、グリーティングカードの取り扱いが容易である。
【００１５】
また、グリーティングカード本体には、動物又は人物を模したキャラクターが印刷され、自動演奏機能及び発音機能に予め記録された楽曲及び単音は、このキャラクターに関連する音であるため、幼児や児童の興味を惹き、親しみながら音に触れることができ、情操教育や音楽教育に貢献することができる。
【考案を実施するための最良の形態】
【００１６】
本考案に係るグリーティングカード２について、図を参照にしながら説明する。図１は本考案に係るグリーティングカード２を示した説明図であり、グリーティングカード２を開いた状態を示した説明図である。また、図２は、グリーティングカード２を閉じた状態を示した説明図である。なお、これらの図は本考案を説明するためだけのものであり、本考案を何ら限定するものではない。
【００１７】
本考案に係るグリーティングカード２は、見開き可能に二つ折りされたグリーティングカード本体４と、グリーティングカード本体４に内蔵された発音機構６と、発音機構６を制御するスイッチとからなる。
【００１８】
グリーティングカード本体４は、一般的に市販されているものと同じで良く、寸法、形状、材料等については、特に限定せず適宜設定すれば良い。なお、説明の便宜上、図１及び図２に示されているように、グリーティングカード本体４を折り畳んだ時、相対する面をそれぞれ表２、表３とし、表２の裏面を表１、表３の裏面を表４（図示せず）とする。
【００１９】
このグリーティングカード本体４には、様々な印刷、装飾が施されていても良いが、楽譜２４が印刷されていても良い。楽譜２４が印刷される面は、図１に示されているように表２が良いが、発音機構６の位置やボタン２２の位置に応じて適宜設定すれば良い。また、シール部材などに楽譜２４を印刷してグリーティングカード本体４に添付し、楽譜２４とグリーティングカード本体４が着脱自在又は切り離し可能に設けられていても良い。また、グリーティングカード本体４に補助部材等を設け、補助部材に楽譜２４を印刷しても良い。
【００２０】
この楽譜２４は、一般的な楽譜２４でも良いが、音階別の音符記号に異なる色が着色されていても良い。例えば、ドの音符は赤色、レの音符はオレンジ色、ミの音符は黄色、ファの音符は緑色といったように、異なる色を着色すれば、音符が読めない者でも色によって音階を判別することができる。
【００２１】
また、グリーティングカード本体４に印刷又は装飾される各種キャラクターは、発音機構６によって発せられる音に関連するキャラクターであると更に良い。例えば、図１及び図２では、キャラクターとしてアヒル及びカエルが印刷されているが、この様に幼児でも認識しやすい一般的且つ特徴を有した動物などを使用するのが良く、適宜設定することができる。
【００２２】
また、グリーティングカード本体４に発音機構６を内蔵する方法としては、図３に示されたように、グリーティングカード本体４を三つ折り状に形成し、中心の面と、中心の面に接するどちらか一方の面とを重ね合わせ、この重ね合わせた部分に発音機構６を内包して収納するのが良い。この他にも発音機構６の形状、構造などに応じて適宜設定しても良い。
【００２３】
次に、本考案に係る発音機構６は、電子基板１０及び小型スピーカー８を使用し、動力源として乾電池を使用しているが、その他にも音を発することができ、グリーティングカード本体４内に収納可能で有れば、どの様な形態、手段であっても良い。
【００２４】
この発音機構６には、予め記録された楽曲を自動演奏する楽曲機能と、予め記録された単音を発する単音機能とが設けられていても良い。楽曲機能内に記録される楽曲については、特に限定しないが、グリーティングカード本体４にキャラクター等が印刷されている場合は、このキャラクターに関連する音で演奏された楽曲であるのが良い。例えば、図１及び図２に示されたように、アヒル及びカエルが印刷されている場合は、アヒル又はカエルの鳴き声による楽曲を記録するのが良い。また、楽曲機能内に記録される曲数、演奏時間については、電子基板１０などの条件を考慮して適宜設定すれば良い。
【００２５】
また、単音機能の音源としては、楽曲機能に記録されている楽曲を音源としても良いし、単音機能内に楽曲とは異なる音源を記録しても良い。また、単音機能によって発せられる単音数については、楽曲機能に記録されている楽曲や電子基板１０等の種々の条件を考慮して適宜設定すれば良いが、１オクターブの音域内の音を発せられるのが良い。また、単音機能も楽曲機能と同様に、グリーティングカード本体４にキャラクター等が印刷されている場合は、このキャラクターに関連する音であるのが良い。
【００２６】
次に、スイッチは、楽曲機能を作動させる第一スイッチ１２と、単音機能を制御する第二スイッチ２０とを備えていても良い。第一スイッチ１２としては、光センサやタッチセンサー等の各種センサー、押しボタン２２などの各種ボタン２２などを適宜設定して使用することができる。また、図３に示されたように、グリーティングカード本体４内のどちらか一方の面の折り曲げ部近傍から、もう一方の面に向かってスライド部１８を設け、グリーティングカード本体４のもう一方の面に、感知部１６と、感知部１６に接触して通電状態となる接触部１４を設けても良い。
【００２７】
図４は、第一スイッチ１２の部分拡大図及び第一スイッチ１２の動作状況を示した説明図である。この第一スイッチ１２は、スライド部１８がグリーティングカード本体４の開閉に伴い接触部１４に沿って移動し、グリーティングカード本体４の折り曲げ時に、図４（ａ）に示された状態から矢印方向にスライド部１８が移動し、図４（ｂ）に示されたように、感知部１６と接触部１４を非接触状態にする。非接触状態は、スライド部１８が感知部１６と接触部１４の間に進入して非接触状態にしても良いし、接触部１４を持ち上げるなどして非接触状態にしても良い。
【００２８】
第二スイッチ２０は、単音機能を作動させることが可能で有れば、どの様な形状、構造、手段であっても良い。この第二スイッチ２０は、単音機能を作動させると同時に自動演奏機能を強制的に終了させる仕組みであると更に良い。
【００２９】
また、単音機能内に記録された単音数が複数である場合は、同数のボタン２２を有していても良い。このボタン２２は、図１に示されたように、グリーティングカード本体４から突出した押しボタンでも良いし、鍵盤状ボタンでも良い。また、グリーティングカード本体４内にボタン２２を設け、グリーティングカード本体４のボタン２２該当位置にボタン２２が設けられていることを知らしめる何らかの印刷をしても良い。
【００３０】
また、グリーティングカード本体４に楽譜２４が印刷され、楽譜２４内の音符記号が音階別に異なる色の着色が施されている場合は、ボタン２２も同様に異なる色を着すると良い。この時、音符記号と同色のボタン２２を押すと、音符記号に該当する音が発せられる仕組みになっていると更に良い。
【００３１】
以上が本考案に係るグリーティングカード２についての説明であるが、本考案の目的を逸脱しない限り、種々の条件及び設定は変更が可能である。例えば、グリーティングカード本体４が三つ折りやそれ以上の多重折りであっても、本考案に係る内容が適応可能であることは言うまでもない。
【図面の簡単な説明】
【００３２】
【図１】本考案に係るグリーティングカードを示した説明図である。
【図２】本考案に係るグリーティングカードを示した説明図であり、グリーティングカードを閉じた状態を示した説明図である。
【図３】本考案に係るグリーティングカードの内部構造を示した説明図である。
【図４】本考案に係る第一スイッチを示した説明図である。
【符号の説明】
【００３３】
２  グリーティングカード
４  グリーティングカード本体
６  発音機構
８  小型スピーカー
１０  電子基板
１２  第一スイッチ
１４  接触部
１６  感知部
１８  スライド板
２０  第二スイッチ
２２  ボタン
２４  楽譜
【図１】
0003112188.tif 000003
【図２】
0003112188.tif 000004
【図３】
0003112188.tif 000005
【図４】
0003112188.tif 000006